(57)【特許請求の範囲】
【請求項１】
軟質プラスチックからなるアンプル状の中空容器本体の底と対向する端部を延長するとともに縮径し、容器の延長方向と交叉する方向の対向する側壁の一部を短冊状に張り出させて基板を形成するとともに、基板を前記底と対向する方向に延長して保持板を形成し、保持板の中央は更に縮径して他方の底を形成するとともに、保持板を更に延長して捩じり板を形成し、保持板と捩じり板との境界に延長方向と交又する方向に溝を形成するとともに、該溝に隣接する縮径部の外周に溝を形成して捩じ切り部を設けたプラスチック・アンプルにおいて、
本体の縮径部先端を円筒状に延長して第１スリーブを形成するとともに、更に延長して先端に底を設けた第２スリーブを形成し、第１スリーブ両側面の保持板を切り落とすとともに第２スリーブの両側面に第２保持板を形成し、該第２保持板の両翼端のみを前記保持板に肉薄部にて連結し、第２保持板を延長して捩じり板を形成し、第２保持板と捩じり板との境界に延長方向と交又する方向に溝を形成するとともに、該溝と隣接する第２スリーブ端部外周に溝を形成して第１捩じ切り部を形成し、第１スリーブと第２スリーブとの境界外周に溝を形成して第２捩じ切り部を形成し、一方のスリーブの外径をシリンジ筒先の外径に略等しく設定するとともに、他方のスリーブの内径をシリンジ筒先の外径に略等しく設定したことを特徴とするニードルレス・プラスチックアンプル。
【請求項２】
本体，縮径部，基板及び保持板を基板の中心面にて縦に２分割される一方の側面体及び第１スリーブ，第２スリーブ，第２保持板及び捩じり板をやや硬質のプラスチックで構成したことを特徴とする請求項１記載のニードルレス・プラスチックアンプル。
【請求項３】
第１スリーブよりの第２スリーブの外周に軟質プラスチックからなる傘状片を第１スリーブを覆うように付設したことを特徴とする請求項１及び２記載のニードルレス・プラスチックアンプル。
【発明の詳細な説明】
【０００１】
【発明の属する技術分野】
本発明は、薬液等を収納するプラスチック・アンプルに関する。
【０００２】
【従来の技術】
図５は公用のプラスチック・アンプルである。
軟質プラスチックからなるアンプル状の中空容器本体ａは、底ｂと対向する端部を延長するとともに縮径し、容器の対向する側壁ｃ，ｃ′の一部は短冊状に張り出させるとともに、前記底ｂと対向する軸線方向に延長して基板ｄを形成している。
【０００３】
基板ｄの端部中央は更に縮径して他端の底ｅを形成するとともに、基板ｄを延長して保持板ｄ′を形成し、さらに延長して捩じり板ｆを形成する。
保持板ｄ′と捩じり板ｆとの境界が底ｅより若干底ｂよりに位置するように、延長方向と交又する方向に断面が対向したノッチ状の溝ｇを形成するとともに、該溝ｇに隣接する縮径部の外周にノッチ状の溝ｈを形成して捩じ切り部ｉを設け、本体ａ内に薬液が満たされている。
【０００４】
なお、従来例では中空容器を円筒状としたが、中空の四角柱でも六角柱でも良いことは言うまでもない。
また、基板ｄと保持板ｄ′との境界の溝ｊは、断面が対向したノッチ状の溝で自動機で製造する場合、薬液を注入した後封口処理する為の溝である。
【０００５】
従来のプラスチック・アンプルを使用するには、本体ａを上向きに保持しながら、本体ａ及び基板ｄを手で持ち他方の手で捩じり板ｆを捩じり、溝ｇを捩じ切るとともに縮径部の溝ｈをも捩じ切りるのである。
【０００６】
次いで、注射器の針を先に捩じ切った溝ｈ内の開口部からプラスチック・アンプルの本体ａ内に挿入して薬液を注射器に吸い上げるのである。
即ち、従来例のプラスチック・アンプルは、ガラス製のアンプルのように、やすりでアンプルの根元を傷つける必要が無い利点と、持ち運ぶ途中でやや乱暴に取り扱っても割れる心配がないという利点のみが有る。
【０００７】
しかし、プラスチック・アンプルから注射器で薬液を吸入する場合、注射針を経由するのはガラス製のアンプルと同様である。
【０００８】
また、近年人工腎臓透析中の採血，薬液注入は血液回路のゴム・スリーブより注射針を差し込んで行われているが、誤穿刺事故（注射針がゴム・スリーブを貫通して人体に刺さったり、引き抜いた時の反動で自分の手を突き刺したりする事故）があとを絶たない、しかし従来例はこれらの事故防止には何等役立つことは無い。
【０００９】
【発明が解決しようとする課題】
本発明は、上記した点に鑑み、注射針を使用せずプラスチック・アンプルから薬液を直接シリンジに吸い上げることにより時間を節約するとともに、粉末状の薬剤をも薬液を注入しながら混合，溶解液状にして吸い上げ可能にし、ひいては誤穿刺事故の危険をも防止出来るニードルレス・プラスチックアンプルを提供することを目的とする。
【００１０】
さらに、本発明によるニードルレス・プラスチックアンプルに直接注射針をセットすることにより注射可能ともなり、シリンジを省略出来るニードルレス・プラスチックアンプルを提供することを目的とする。
【００１１】
又、最近人工腎臓透析等に使用されるニードルレス血液回路に薬液を注入する場合、注射針を介せずに回路中の瞼式自動弁（系統の内圧が若干でもかかっていると軟質プラスチックからなる瞼式自動弁は自力で閉じて系統の液は外へ漏れず、この弁にシリンジの筒先を挿入して圧力を外からかけるとシリンジの薬液が系統内へ注入される）に直接薬液を注入することが出来るプラスチック・アンプルを提供することを目的とする。
【００１２】
【課題を解決するための手段】
上記の目的を達成するために、軟質プラスチックからなるアンプル状の中空容器本体の底と対向する端部を延長するとともに縮径し、容器の延長方向と交叉する方向の対向する側壁の一部を短冊状に張り出させて基板を形成するとともに、
【００１３】
基板を前記底と対向する方向に延長して保持板を形成し、保持板の中央は更に縮径して他方の底を形成するとともに、保持板を更に延長して捩じり板を形成し、保持板と捩じり板との境界に延長方向と交又する方向に溝を形成するとともに、該溝に隣接する縮径部の外周に溝を形成して捩じ切り部を設けたプラスチック・アンプルにおいて、
【００１４】
本体の縮径部先端を円筒状に延長して第１スリーブを形成するとともに、更に延長して先端に底を設けた第２スリーブを形成し、第１スリーブ両側面の保持板を切り落とすとともに第２スリーブの両側面に第２保持板を形成し、該第２保持板の両翼端のみを前記保持板に肉薄部にて連結し、第２保持板を延長して捩じり板を形成し、第２保持板と捩じり板との境界に延長方向と交又する方向に溝を
【００１５】
形成するとともに、該溝と隣接する第２スリーブ端部外周に溝を形成して第１捩じ切り部を形成し、第１スリーブと第２スリーブとの境界外周に溝を形成して第２捩じ切り部を形成し、一方のスリーブの外径をシリンジ筒先の外径に略等しく設定するとともに、他方のスリーブの内径をシリンジ筒先の外径に略等しく設定した構成を採用した。
【００１６】
また、請求項１記載のニードルレス・プラスチックアンプルにおいて、本体，縮径部，基板及び保持板を基板の中心面にて縦に２分割される一方の側面体及び第１スリーブ，第２スリーブ，第２保持板及び捩じり板をやや硬質のプラスチックで形成した構成を採用した。
【００１７】
さらに、請求項１及び２記載のニードルレス・プラスチックアンプルおいて、第１スリーブよりの第２スリーブの外周に軟質プラスチックからなる傘状片を第１スリーブを覆うように付設した構成を採用した。
【００１８】
【発明の実施の形態】
図１は、本発明による第１形態のニードルレス・プラスチックアンプル１の斜視図である。  ポリエチレン等の軟質プラスチックからなるアンプル状の中空容器本体２の底３と対向する端部４を延長するとともに縮径し、容器の対向する側壁の一部は短冊状に張り出させて基板５を形成する。
【００１９】
基板５を底３と対向する軸線方向に延長して保持板６を形成し、保持板６の中央は更に縮径した縮径部先端７を円筒状に延長して第１スリーブ８を形成するとともに、第１スリーブ８を延長して先端に底を設けた第２スリーブ９を形成する。
【００２０】
第１スリーブ８の両側面の第２保持板１０を若干切り落とすとともに、第２スリーブの両側面に第２保持板１０を形成し、第２保持板１０の両翼端のみを後退させて保持板６に断面が対向したノッチ状の肉薄部たる溝１１にて連結する。
【００２１】
第２保持板１０を更に延長して捩じり板１２を形成し、第２保持板１０と捩じり板１２との境界に、延長方向と交又する方向に断面が対向したノッチ状の溝１３を形成する。溝１３と隣接する第２スリーブ端部１４の外周にノッチ状の溝１５を形成して第１捩じ切り部１６を形成する。
【００２２】
第１スリーブ８と第２スリーブ９との境界外周にノッチ状の溝１７を形成して第２捩じ切り部１８を形成する。
第２スリーブ９の内径ＩＤをシリンジ筒先（注射針の根元を挿入する部分）の外径に略等しく設定するとともに、第１スリーブ８の外径ＯＤをシリンジ筒先の外径に略等しく設定する（図２参照）。
【００２３】
なお、第１スリーブの内径をシリンジ筒先の外径に略等しく設定し、第２スリーブの外径をシリンジ筒先の外径に略等しく設定しても良い。
さらに、第１形態では中空容器を円筒状にしたが、中空の四角柱でも六角柱でも良いことは改めて言うまでもない。
【００２４】
また、断面が対向したノッチ状の溝１９は、自動機でブロー成形，薬液の注入及び封口を行う場合のもので、必須要件ではない。
第１形態は上記のように構成されているので、以下のように使用することが出来る。
【００２５】
即ち、本体２及び第２保持板１０を片手で保持しながら捩じり板１２を他方の手で捩じると、第２スリーブ９の先端は溝１５から捩じ切れ開口する。
次いで空のシリンジの筒先を第２スリーブ９内に挿入してシリンジのピストンを引くと本体２に充填されていた薬液は、その負の圧力で挿入箇所から漏れることなくシリンジ内に移送される。
【００２６】
従って、従来例のプラスチック・アンプルから注射針を介してシリンジで吸い上げる場合に比較して格段に早く薬液の移送が出来るとともに、注射針の用意及び針装着の手間が省ける。
【００２７】
また、本体２内に粉末状の薬剤が充填されている場合は、予め使用する薬液をシリンジに注入後、シリンジの筒先を第２スリーブ内に挿入してシリンジのピストンを押したり引いたりして、粉末状の薬剤とシリンジの薬液を容易に混合溶解することが出来、その後容易にシリンジ内に移送する事が出来る。
【００２８】
又、溝１７にて第２捩じ切り部１８から捩じ切りると、第１スリーブ８を人工腎臓透析等に使用されるニードルレス血液回路の瞼式自動弁（系統の内圧が若干でもかかっていると軟質プラスチックからなる瞼式自動弁は自力で閉じて系統の液は外へ漏れず、この弁にシリンジの注入口を挿入して圧力を外からかけるとシリンジの薬液が系統内へ注入される）に直接挿入して薬液を注入することが出来る。
【００２９】
さらに、第２捩じ切り部１８から捩じ切った場合、注射針を第１スリーブ８にセットして従来の注射器として使用しても、従来のアンプルから薬液をシリンジに吸入する手間が省けて極めて効率が良い。
【００３０】
図３は、本発明による第２形態のニードルレス・プラスチックアンプルの縦断面図である。  即ち、アンプル状の中空容器本体２′の底３′と対向する端部４′を延長するとともに縮径し、容器の対向する側壁の一部は短冊状に張り出させて基板５′を形成する。
【００３１】
その際、基板５′の図上左端から溝１１（図１参照）までのＭ間の本体２′を基板５′の中心より図上上下に２分割してそれぞれ射出成形する場合、一方の側面体はポリエチレン等の軟質プラスチックで構成し、他方の側面体はやや硬質のポリエチレン等のプラスチックで構成する。
【００３２】
さらに、保持板６′，第２保持板１０′，捩じり板１２′（以上図示せず）及び第１スリーブ８′，第２スリーブ′９′をやや硬質のポリエチレン等のプラスチックで構成する。
なお、記号１５′及び１７′は溝である。
【００３３】
即ち、一方の側面体はポリエチレン等の軟質プラスチックで成形し、他方の側面体はやや硬質のプラスチックでそれぞれ成形する。
次いで、これらを合体後熔着して本体２′を形成し、以降は第１形態と同様の工程で薬液の注入と封口を実施する。
【００３４】
なお、本第２形態ではそれぞれの側面体を軟質プラスチックとやや硬質のプラスチックで構成したが、両方の側面体を共にポリエチレン等の軟質プラスチックで成形し、他方の側面体のみをやや肉厚に成形して該側面体に剛性を持たせ所期の目的を達することも出来る。
第２形態は上記のように構成されているので、以下のように使用することが出来る。
【００３５】
即ち、本体２′の他方の側面体及びスリーブ等が剛性のあるやや硬質のプラスチックで構成されているので、注射器替わりに使用したりする場合、ふにゃふにゃ感が無くなり取扱易い利点がある。
図４は、本発明による第３形態のニードルレス・プラスチックアンプル要部の縦断面図である。
【００３６】
即ち、第１スリーブ２０よりの第２スリーブ２１の外周にポリエチレン等の軟質プラスチックからなる傘状片２２を第１スリーブ２０を覆うように熔着して付設したもので、その他の構成は第１形態及び第２形態と同様であるのでその他の説明は省略する。
【００３７】
なお、記号１５″及び１７″はノッチ状の溝である。
第３形態は上記のように構成されているので、以下のように使用することが出来る。
【００３８】
即ち、第１形態のニードルレス・プラスチックアンプルで、第２保持板１０を片手で持ち他方の手で本体２等を持って捩じ切る場合、不用意に第１スリーブ８の外周に接触して汚染してしまうことを防止出来る利点がある。
【００３９】
【発明の効果】
本発明によるニードルレス・プラスチックアンプルは、以下のような効果がある。
注射針を使用せずニードルレス・プラスチックプラスチックアンプルから薬液を直接シリンジに吸い上げることで時間を節約出来るともに、粉末状の薬剤をも薬液を注入しながら混合溶液状にして吸い上げ可能となり、薬液と粉末剤との混合等が極めて効率よく短時間に実施出来、また注射針が不要で廃材が少なくなる効果がある。
【００４０】
さらに、最近人工腎臓透析等に使用されるニードルレス血液回路に薬液を注入する場合、注射針を介せずに回路中の瞼式自動弁に直接薬液を注入することが出来るので誤穿刺事故を完全に防止出来る効果がある。
勿論、注射針を直接セットして、従来の注射器代わりに直接使用することも出来て大変便利である。
【図面の簡単な説明】
【図１】第１形態のニードルレス・プラスチックアンプルの斜視図である。
【図２】第１形態のニードルレス・プラスチックアンプルの縦断面図である。
【図３】第２形態のニードルレス・プラスチックアンプルの縦断面図である。
【図４】第３形態のニードルレス・プラスチックアンプル射器要部の縦断面図である。
【図５】従来例の斜視図である。
【符号の説明】
１                                  ニードルレス・プラスチックアンプル
２，２′                            本体
３，３′                            底
４，４′                            端部
５，５′                            基板
６                                  保持板
７                                  縮径先端
８，８′，２０                      第１スリーブ
９，９′，２１                      第２スリーブ
１０                                第２保持板
１１，１３，１５，１７，１９，１５′，１７′，１５″，１７″  溝
１２                                捩じり板
１４                                第２スリーブ端部
１６                                第１捩じ切り部
１８                                第２捩じ切り部
２２                                傘状片
【図１】
0003611818.tif 000002
【図２】
0003611818.tif 000003
【図３】
0003611818.tif 000004
【図４】
0003611818.tif 000005
【図５】
0003611818.tif 000006